(57)【特許請求の範囲】
【請求項１】
被写体を撮像し、画像信号を作成する撮像手段と、
前記画像信号を保存するメモリと、
前記メモリに保存された前記撮像手段による１回の撮像動作により得た１つの画像信号から、少なくとも、第１の処理画像と、第１の処理画像よりも小さいサイズの第２の処理画像と、第２の処理画像よりも小さいサイズのサムネイル画像と、を作成する画像処理手段と、
前記画像処理手段が作成した処理画像に対応した画像ファイルを作成する画像ファイル作成手段と、
を備え、
前記画像ファイル作成手段は、前記第１の処理画像及び前記サムネイル画像で第１の画像ファイルを作成し、前記第２の処理画像及び前記サムネイル画像で第２の画像ファイルを作成すること
を特徴とするデジタルカメラ。
【請求項２】
前記画像処理手段が作成した処理画像を圧縮して圧縮画像を作成する画像圧縮手段と、
前記ファイル作成手段が作成した画像ファイルを記録する記録媒体と、
前記記録媒体に画像ファイルを記録する画像ファイル記録手段と、
を更に備え、
前記ファイル作成手段は、前記圧縮画像に基づいて画像ファイルを作成し、
前記画像処理手段が作成した複数の処理画像の１つに対応した画像ファイルを前記画像ファイル記録手段が記録媒体に記録する動作と、前記画像処理手段が作成した別の処理画像を前記圧縮手段が圧縮する動作とを、並行に行なうこと
を特徴とする請求項１に記載のデジタルカメラ。
【請求項３】
前記画像処理手段が作成した複数の処理画像のうち、まず、前記第１の処理画像に対して圧縮を行い、前記第１の処理画像に対応した画像ファイルを作成し、該画像ファイルの記録媒体への記録動作を行い、
前記第１の処理画像に対応した画像ファイルの記録動作が、前記第２の処理画像の圧縮に必要なサイズ分だけ完了したときに、前記第２の処理画像の圧縮動作を開始すること
を特徴とする請求項２記載のデジタルカメラ。
【請求項４】
前記画像処理手段が作成した処理画像を圧縮して圧縮画像を作成する画像圧縮手段と、
前記ファイル作成手段が作成した画像ファイルを記録する記録媒体と、
前記記録媒体に画像ファイルを記録する画像ファイル記録手段と、
を更に備え、
前記ファイル作成手段は、前記圧縮画像に基づいて画像ファイルを作成し、
前記画像圧縮手段は、前記画像処理手段が作成した複数の処理画像のうち、まず、前記第１の処理画像に対して圧縮を行い、前記第１の処理画像の圧縮率を記憶し、
該圧縮率に基づいて、前記第２の処理画像の圧縮率を決定し圧縮すること
を特徴とする請求項１記載のデジタルカメラ。
【発明の詳細な説明】
【０００１】
【発明の属する技術分野】
デジタルカメラに関し、特に１度の撮影による１つの画像を複数のサイズの処理画像として記録媒体に記録する、サムネイル表示付きのデジタルカメラに関する。
【０００２】
【従来の技術】
従来、デジタルカメラによって撮影された画像について、そのサイズの変更などの作業は、撮影が終了した後に、撮影データをパソコンに移して、パソコン上で画面を見ながら行っていた。しかしながら、上記のサイズ変更作業は、煩雑で時間がかかるなどの問題点があった。
それに対して特開２００１−０２４９２８号公報は、１回の撮像動作によって得た１つの画像を複数の処理条件に基づいて記録し、１度の撮影でサイズや画質の異なる複数の画像データを記録することが可能な電子カメラを開示している。それによって一度の撮影による異なるサイズや画質の複数画像データを得ようとしたものである。
【０００３】
また、ある種のデジタルカメラでは、撮影した画像よりもはるかに小さなサイズの画像を、参照用のサムネイル画像として作製し記録して、デジタルカメラの表示部で表示したり、あるいはパソコン上での簡略な表示に役立てたりしている。確かに、デジタルカメラで撮影したデータをそのままデジタルカメラの表示部などで確認する場合には、サムネイル画像を表示することは利便性が高い。しかしながら、上述の特開２００１−０２４９２８号公報などでは、サムネイル画像を作成することに言及は無く、１つの撮影された画像に対して記録された複数の画像データを表すサムネイル画像は、それぞれに複数必要なのか、若しくは１つで代表可能なのか、ならびにそのサムネイル画像をどのようにして該複数画像に対して利用すればより効率的に処理速度を短縮させて撮影動作を実行できるかは、開示されていない。
【０００４】
【発明が解決しようとする課題】
本発明は上記の問題点に鑑みてなされたものであり、その目的は、１度の撮影による複数サイズ画像および夫々の画像毎に対応付けて付されるサムネイル画像のデータ処理と記録を効率的に行うことができるデジタルカメラを提供することである。
【０００５】
【課題を解決するための手段】
請求項１の発明は、被写体を撮像し、画像信号を作成する撮像手段と、
前記画像信号を保存するメモリと、前記メモリに保存された前記撮像手段による１回の撮像動作により得た１つの画像信号から、少なくとも、第１の処理画像と、第１の処理画像よりも小さいサイズの第２の処理画像と、第２の処理画像よりも小さいサイズのサムネイル画像と、を作成する画像処理手段と、前記画像処理手段が作成した処理画像に対応した画像ファイルを作成する画像ファイル作成手段と、を備え、前記画像ファイル作成手段は、前記第１の処理画像及び前記サムネイル画像で第１の画像ファイルを作成し、前記第２の処理画像及び前記サムネイル画像で第２の画像ファイルを作成することを特徴とするデジタルカメラである。このような構成によって、１度の撮影による複数サイズの処理画像を作製する、サムネイル画像付きのデジタルカメラにおいて、該複数処理画像に対して同一のサムネイル画像を使用するので、サムネイル画像の作製およびその圧縮処理が１回ですみ、効率的に撮影し記録できるデジタルカメラを提供可能となる。
【０００６】
請求項２の発明は、請求項１のデジタルカメラにおいて、前記画像処理手段が作成した処理画像を圧縮して圧縮画像を作成する画像圧縮手段と、前記ファイル作成手段が作成した画像ファイルを記録する記録媒体と、前記記録媒体に画像ファイルを記録する画像ファイル記録手段と、を更に備え、前記ファイル作成手段は、前記圧縮画像に基づいて画像ファイルを作成し、前記画像処理手段が作成した複数の処理画像の１つに対応した画像ファイルを前記画像ファイル記録手段が記録媒体に記録する動作と、前記画像処理手段が作成した別の処理画像を前記圧縮手段が圧縮する動作とを、並行に行なうことを特徴とする。このような構成によって、複数サイズの処理画像のうち１つを記録媒体に記録しながら同時に、他の画像のリサイズあるいは圧縮を行うので、効率的に複数画像を処理および記録することができる。
【０００７】
請求項３の発明は、請求項２のデジタルカメラにおいて、前記画像処理手段が作成した複数の処理画像のうち、まず、前記第１の処理画像に対して圧縮を行い、前記第１の処理画像に対応した画像ファイルを作成し、該画像ファイルの記録媒体への記録動作を行い、前記第１の処理画像に対応した画像ファイルの記録動作が、前記第２の処理画像の圧縮に必要なサイズ分だけ完了したときに、前記第２の処理画像の圧縮動作を開始することを特徴とする。このような構成によって、複数サイズの処理画像のうち先に大きなサイズの処理画像を記録媒体に記録しながら並行して、他の画像の圧縮処理あるいは記録を行うので、メモリ容量の制限があっても、より高速に効率的に処理および記録をすることができる。
【０００８】
請求項４の発明は、請求項１に記載のデジタルカメラにおいて、前記画像処理手段が作成した処理画像を圧縮して圧縮画像を作成する画像圧縮手段と、前記ファイル作成手段が作成した画像ファイルを記録する記録媒体と、前記記録媒体に画像ファイルを記録する画像ファイル記録手段と、を更に備え、前記ファイル作成手段は、前記圧縮画像に基づいて画像ファイルを作成し、前記画像圧縮手段は、前記画像処理手段が作成した複数の処理画像のうち、まず、前記第１の処理画像に対して圧縮を行い、前記第１の処理画像の圧縮率を記憶し、該圧縮率に基づいて、前記第２の処理画像の圧縮率を決定し圧縮することを特徴とするデジタルカメラである。このような構成によって、複数サイズの処理画像のうち最初に最大サイズの画像の圧縮率を決め、次にそれを基にして他のより小さな画像の圧縮率を決めるので、小さな画像の固定長化処理が不要となり、高速に効率的に複数画像を処理し記録することができる。
【００１０】
【発明の実施の形態】
以下、本発明の実施の形態について、添付図面を参照しながら説明する。なお、本発明はこの実施の形態に限定されるものではない。本発明にかかるデジタルカメラとして、デジタルスチルカメラを例にとる。まず基本的な構成と動作を説明する。
図１は本発明の実施の形態によるデジタルスチルカメラの構成を示すブロック図である。デジタルスチルカメラ１（以下、カメラと称する）は、撮像手段２と、それを制御する制御手段４と、表示装置５とを備える。撮像手段２は、画像入力部２０と、信号処理部３０とを備える。制御手段４はマイクロコンピュータ（以下マイコンと称する）４１を含み、このカメラ１全体をも統括的に制御する。表示装置５は、省略することも可能である。
【００１１】
撮像手段２の画像入力部２０は、レンズ２１、ＣＣＤ（ｃｈａｒｇｅ  ｃｏｕｐｌｅｄ  ｄｅｖｉｃｅ  電荷結合素子）２２、ＣＤＳ（ｃｏｒｒｅｌａｔｅｄｄｏｕｂｌｅ  ｓａｍｐｌｉｎｇ  相関二重サンプリング回路）２３、ＣＣＤ出力電気信号(アナログ画像データ)をデジタルデータに変換するＡ／Ｄ変換器２４、モータドライバ２５、ＣＣＤを駆動するタイミングＳＧ（制御信号発生器）２６、ストロボ２７などを含む。
ここでＣＣＤ２２は、例えばインターレース方式で、メカニカルシャッターを併用することにより全画素読み出しが可能なタイプを用い、総画素数２３０万画素(水平１９０１画素、垂直１２１２画素)、有効画素数は２１６万画素(水平１８００画素、垂直１２００画素)のものを採用する。
信号処理部３０は、デジタル信号処理回路３１、フレームメモリ３２、画像圧縮伸長回路３３、データ記憶メモリ３４、記憶媒体３５（メモリカード）、およびマイコンと接続するバス３６などを含む。フレームメモリ３２は、少なくとも撮像画素の１画面以上の画像データを蓄積することができる画像メモリであり、例えば、ＶＲＡＭ、ＳＲＡＭ、ＤＲＡＭ、あるいはＳＤＲＡＭ(シンクロナスＤＲＡＭ)など、一般に用いられているメモリを用いる。フレームメモリ３２は、画像処理部から送られる画像や、そこで処理された撮像データを格納する。
ここで撮像手段はカラー撮像可能である。
【００１２】
画像処理部３０は、マイコン４１とつながるバス３６を介して、マイコン４１の指示に基づいて、マイコン４１のパラメータ格納部（不図示）に格納されている画像処理パラメータに従って画像処理を実行する。
画像圧縮伸張回路３３は、画像圧縮の符号化方法として、例えばＪＰＥＧ（Ｊｏｉｎｔ  Ｐｈｏｔｏｇｒａｐｈｉｃ  Ｅｘｐｅｒｔｓ  Ｇｒｏｕｐ）方式を採用する。この符号化アルゴリズムにはＡＤＣＴ(適応離散コサイン)を用い、最初に解像度の低い画像を符号化し、次第に解像度が高くなるような階層符号化を取り入れることが可能である。
【００１３】
制御手段４は、マイコン４１、ＥＥＰＲＯＭ４２、およびカメラ操作部４３を含む。マイコン４１は、入力装置２０（画像入力部）と、信号処理部３０とに接続する。制御手段（制御部）４のマイコン４１は、一般的に知られているマイクロコンピュータシステムが採用され、制御プログラムに基づいて所定の制御(撮像、記録、再生など)を実行するＣＰＵ（不図示）、制御プログラムが格納されているＲＯＭ４２、ワーキングメモリ(作業領域)として使用されるＲＡＭ（不図示）などを含んでなる。制御部４はその他に、例えば８ＭＢ程度の内部メモリ、あるいはそれ以上の容量のスマートメディア、コンパクトフラッシュ（登録商標）などを備えてもよい。制御部４でのＲＯＭまたはＲＡＭメモリには、パラメータ格納部が設けられ、そこに格納されている画像処理パラメータに従って画像処理指令が出される。カメラ操作部４３には、キー（不図示）が設けられて操作可能であり、画像入力部２０の動作指示を行い、撮影を指示するレリーズキー、およびその他の各種設定を外部から行うためのボタンなどを備えることができる。
【００１４】
表示装置５（表示手段）は、例えば液晶ディスプレイを使用し、撮像データを表示する。撮影した画像をその場で見ずにパソコンでサムネイル画像や他の画像を見たり処理したりする場合は、表示装置５は省略可能である。ただし、ここでの説明は、あるものとして行う。
表示装置５は、表示制御部（不図示）を含み、表示制御部は画像処理部３０で所定の画像処理がなされた撮像データを表示制御し、その撮像データを表示装置５に送出する機能を有する。ただし、表示制御部は制御部４など他に含められても良い。
【００１５】
以上のように構成されたデジタルスチルカメラ１の基本的な動作について説明する。画像入力装置２０のレンズユニット２１を通して入力された被写体のデジタルデータは、フレームメモリ３２に一時的に保存される。デジタル信号処理回路（画像処理部）３１は、マイコン４１から指示された画像処理パラメータに基づいて、フレームメモリ３２に一時保管されたデータを処理し、フレームメモリ３２に出力する。この処理の１つとして、ホワイトバランス処理が含まれる。表示制御部（不図示）は、フレームメモリ３２に書き込まれたデータを表示装置５に送り、撮像画像を表示する。
画像圧縮伸長回路３３は、バッファメモリ（フレームメモリ３２）に書き込まれたデータを、ＪＰＥＧ方式で符号化し、その圧縮結果をデータ記憶メモリ３４に格納し、その後、メモリカード（記録媒体）３５に記録する。データ記憶メモリ３４を省略して直接メモリカード３５に蓄積する構成としても良い。
【００１６】
マイコン４１のＣＰＵは、ＲＯＭに格納されている制御プログラムに従ってマイコンに付属するＲＡＭ（不図示）を作業領域として使用しながら、キー操作部（不図示）からの指示、あるいはリモコン(不図示)などの外部動作指示、あるいはパーソナルコンピュータなどの外部端末（不図示）からの通信による通信動作指示に従い、デジタルスチルカメラ１の全動作を制御する。マイコン４１は、撮像動作の制御、画像処理装置３３における画像処理パラメータの設定、各種メモリのコントロール、表示制御などを行う。以上が本発明によるデジタルカメラの基本的な構成と動作である。
【００１７】
（第１の実施の形態（請求項１））
以上の基本的な構成と動作を行うデジタルカメラにおいて、第１の実施の形態を以下に説明する。
まず、カメラ操作部４３にあるシャッターが押されると、撮影動作が行われその結果生じた被写体画像信号は、ＣＣＤ２２、ＣＤＳ２３、Ａ／Ｄ変換器２４によって、デジタル画像データに変換される。そして、デジタル信号処理回路３１により、各種補正処理等行われて該被写体画像データはフレームメモリ３２に格納される。
このフレームメモリ３２に格納された画像を、より小さなサイズの画像サイズにリサイズし、フレームメモリ３２に格納し、さらにこの画像をより小さなサイズのサムネイルサイズにリサイズし、フレームメモリ３２に格納する。これで、大きなサイズ、小さなサイズ、サムネイルサイズと、複数の画像（請求項における複数の処理画像）が、まずフレームメモリ３２内に格納される。
【００１８】
さらに、フレームメモリ３２内のそれぞれの画像は圧縮処理され、データ記憶メモリ３４に記憶される。このデータ記憶メモリ３４に記録された圧縮画像は、それぞれのサイズの処理画像毎にサムネイル画像と組み合わせてファイルとしてメモリカード等の記録媒体３５に記録される。図２はデジタルカメラのファイル構成を示す構成図である。１つのファイル１００には、ファイルヘッダ領域１０１と、サムネイル画像領域１０２と、撮影画像領域１０３とが含まれる。
【００１９】
複数の処理画像に対してはそれぞれ１つのファイルが対応し、上記の領域構成を有する。ここで１度の撮影によって生じる１の撮影画像に対する複数サイズの画像が作製され、それぞれに対応するファイルが作製されるが、そこにおけるサムネイル領域に格納されるサムネイル画像は、最初に作製されたサムネイル画像である。即ち、作製されたサムネイル画像は、大きな画像ファイルのサムネイルエリア、および小さな画像ファイルのサムネイルエリアへと、それぞれ同じものが送られ記録される。こうして、複数の処理画像に対してそれぞれ複数のサムネイル画像を作製することなく、１度作製した同一のサムネイル画像を添付して使用するので、効率的にそれぞれのファイルを作製できる。
【００２０】
図３は、本発明の実施の形態によるデジタルカメラにおいて、メモリのデータ領域と画像データの基本的な流れを示す説明図である。符号については、２００はフレームメモリとそのデータ領域を、３００はデータ記憶メモリとそのデータ領域を、４００は記憶媒体とそのデータ領域を表す。図中、丸付き数字１〜９はそれぞれの処理を示す。
【００２１】
図３に示すように、１度の撮影による複数サイズの画像データは、まずフレームメモリ２００に記録され、次に圧縮されてデータ記憶メモリ３００に記録され、そして記憶媒体４００に記録される。フレームメモリ２００内には、まず大きなサイズの画像データ２０１が格納され、それがリサイズされ小さなサイズの画像データ２０２となって格納され、さらにリサイズされたサムネイル画像データ２０３として格納される（図中丸付き数字１、２；リサイズ処理）。上記格納された３つのサイズの画像データはそれぞれ圧縮処理（丸付き数字３〜５）されて、データ記憶メモリ３００内に格納され、それぞれ大きなサイズの圧縮画像データ３０１、小さなサイズの圧縮画像データ３０２、およびサムネイルの圧縮画像データ３０３としてデータ記憶メモリ３００の領域を占める。
【００２２】
さらにそれらの圧縮画像データは、記憶媒体４００に送られて、それぞれ大きな画像ファイル４０５、および小さな画像ファイル４０１として記録される（図中丸付き数字６〜９）。１つのファイルには、ファイルヘッダ領域（４０２、４０６）と、サムネイル画像領域（４０３、４０７）と、それぞれのサイズの撮影画像領域（４０４、４０８）とを有する。即ち、小さな撮影画像のファイル４０１は、ファイルヘッダ領域４０２と、サムネイル画像領域４０３と、小さなサイズの撮影画像領域４０４とからなり、大きな撮影画像ファイル４０５についても、同様である。ファイル記録にあたって、データ記憶メモリ内のサムネイル圧縮画像データ３０３は、小さな撮影画像ファイル４０１および大きな撮影画像ファイル４０５に共通に移され、それぞれの画像ファイル中のサムネイル画像領域４０３、４０７に格納される（図中丸付き数字８、９）。
【００２３】
ここで、データ記憶メモリ３００に記憶された複数の画像（請求項における複数の処理画像）のうちの１つの画像をメモリカード等の記録媒体にファイルとして記録するさいに、この記録処理と同時に並行して、他のサイズの画像のリサイズや圧縮処理を行い記憶メモリに記録してもよい（請求項２）。
また、フレームメモリに保管された複数の画像（請求項における複数の処理画像）のうち、先に大きなサイズの画像を優先して圧縮処理し、さらにデータ記憶メモリに記憶し、そしてこの圧縮処理されたデータ記憶メモリ内の画像をファイルとしてメモリカード等の記録媒体に記録しながら並行して、サムネイル画像またはより小さなサイズの画像の圧縮処理を開始し、空いたデータ記憶メモリへその圧縮画像を記録するようにしても良い（請求項３）。
【００２４】
図４は本発明の第１の実施の形態によるデジタルカメラにおいて、複数サイズの画像の圧縮処理と記録処理の並行処理を示す説明図である。ここで最初に処理する画像を最も大きな画像であるとしても一般性を失わないので、そのように仮定する。符号については、ＡおよびＢはそれぞれ大きなサイズおよび小さなサイズの画像処理の経時的進行を示す。
図４に示すように、まず大きな画像の圧縮処理（４４１）を開始し、それが終わると同時に記録媒体への書き込み処理（４４２）が行われ、その書き込み処理開始と同時に、画像圧縮伸張回路３３により、小さな画像の圧縮処理４４３が開始され、続いてサムネイル画像の圧縮処理４４４が行われる。そして、記録４４２において大きな画像が記録媒体へ書き込み終了すると、記録４４５において小さな画像の記録媒体への書き込みが開始される。このようにして圧縮処理と記録処理とを並行して実行する。また、並行処理は圧縮処理だけでなく、リサイズ処理を並行して処理することも可能である。
【００２５】
並行処理についてさらに説明する。図５は第１の実施の形態による画像データの圧縮を説明する説明図である。図５のＡおよびＢはそれぞれ大きなサイズおよび小さなサイズの画像処理の経時的進行を示す。１度の撮影による１つの被写体画像データは、リサイズされてフレームメモリへ複数の画像サイズの画像データとして格納される。そして、まず大きな画像データが圧縮され（５０２）、次に、サムネイル画像データが圧縮され（５０３）、データ記憶メモリへ記録される（５０４）。ここで、大きなサイズの圧縮画像データがさらに記録媒体へ記録開始されて（不図示）その記録されたサイズが、小さなサイズの圧縮画像データのサイズ分だけ終了したとき、データ記憶メモリには小さなサイズの圧縮画像データ分の空きができるので、小さなサイズの画像の圧縮処理（５０６）が開始され、小さなサイズの圧縮画像データが記憶メモリの空きの部分に記録される（不図示）。このようにして、並行処理が行われる。
【００２６】
（第２の実施の形態（請求項４））
本発明にかかる第２の実施の形態では、上述した基本的な構成と動作を行うデジタルカメラにおいて、１度の撮影による複数サイズの処理画像の圧縮率の決定を、前記複数の処理画像のうち最初に最大サイズの画像の固定長圧縮処理を行って該圧縮率を記憶し、さらに該圧縮率に基づいて他のサイズの処理画像の圧縮率を決定し記憶し圧縮処理を行う。
【００２７】
まず、カメラ操作部４３にあるシャッター（不図示）が押されると、被写体画像信号は、ＣＣＤ２２、ＣＤＳ２３、Ａ／Ｄ変換器２４により、デジタル画像データに変換され、デジタル信号処理回路３１により、各種補正処理等行われ、被写体画像データはフレームメモリ３２に格納される。このフレームメモリ３２に格納された画像を、より小さなサイズの画像サイズにリサイズし、フレームメモリ３２に格納し、さらにこの画像をより小さなサイズのサムネイルサイズにリサイズし、フレームメモリ３２に格納する。これで、大きなサイズ、小さなサイズ、サムネイルサイズと、複数の画像（請求項における複数の処理画像）が、まずフレームメモリ３２内に格納される。そして、このフレームメモリ３２に格納された１つの被写体画像データを圧縮して複数の処理画像を作製する際に、まず最大サイズの処理画像の圧縮から開始するが、その圧縮率は、圧縮画像データのサイズが所定のサイズ以下になるように、圧縮率を変えながら何回か圧縮処理を行って決定する（この圧縮処理を固定長化処理という）。こうして決定された最大サイズの処理画像の圧縮率は記憶され、この圧縮率によって圧縮処理を行い圧縮された画像データはデータ記憶メモリ３４に記憶される。
【００２８】
次に、フレームメモリ３２内に格納された小さな画像サイズも圧縮されてデータ記憶メモリ３４に記憶されるが、この時の圧縮率は、上述の方法で決定され記憶された圧縮率と同一の圧縮率またはそれに基づいて算出された圧縮率を用いて、圧縮される。それ故、小さなサイズの画像の圧縮処理においてはその適正圧縮率を決定するために繰り返し圧縮を行わなくても、既に記憶した圧縮率に基づいて決定する圧縮率によって圧縮することができる。それ故、効率的に残りの画像データを圧縮することができる。
【００２９】
ここで固定長化処理フローについて説明する。図６は本発明の第２の実施の形態によるデジタルカメラの、最大サイズ画像のデータ固定長化処理フローを説明するフロー図である。符号６００はフロー全体を示し、最初圧縮率はデフォルト値に設定されている（６０１）。最大サイズの画像は、まずデフォルト値で圧縮（６０２）され、その圧縮後のサイズが目標サイズであるかの判定（６０３）を行い、目標サイズでない場合は次の圧縮率の設定（６０４）を行い、上記６０２，６０３の処理を再び行って、目標サイズまで繰り返す。こうして最大サイズ画像の圧縮率が決定・記憶されて小さなサイズの圧縮率が決定・記憶され（６０５）、次の圧縮処理（６０６）に移行する。
【００３０】
小さなサイズの圧縮率は、上記最大サイズの圧縮率が決定され記憶されており、それをそのまま、あるいはそれに基づいて算出して用いるので、圧縮処理は1回ですむことになる。
このようにして、最大サイズ以外の２番目以降のサイズの処理画像の圧縮に際しては、迅速に、電気的エネルギーの消費を押さえて効率的な圧縮処理が可能となる。
【００３１】
また、サムネイル画像も上述のようにして算出された圧縮率、またはそれに基づいて算出された圧縮率によって圧縮することができる。
【００３２】
【発明の効果】
請求項１に係る発明によれば、１度の撮影による複数サイズの処理画像を作製する、サムネイル画像付きのデジタルカメラにおいて、該複数処理画像に対して同一のサムネイル画像を使用するので、サムネイル画像作製およびその圧縮処理が１回ですむので、効率的に処理し記録できるデジタルカメラが提供可能となる。
請求項２に係る発明によれば、１度の撮影による複数サイズの処理画像のうち１つを記録媒体に記録しながら同時に、他の画像のリサイズあるいは圧縮を行うので、効率的に複数画像を処理し記録することができるデジタルカメラを提供可能となる。
請求項３に係る発明によれば、１度の撮影による複数サイズの処理画像のうち先に大きなサイズの処理画像を記録媒体に記録しながら同時に、他の画像の圧縮処理あるいは記録を並行して行うので、より高速に効率的に処理し記録をすることができるデジタルカメラを提供可能となる。
【００３３】
請求項４に係る発明によれば、１度の撮影による複数サイズの処理画像のうち最初に最大サイズの画像の圧縮率を決め、次にそれを基にしてより小さな画像の圧縮率を決めるので、それより小さな画像の圧縮の際、固定長化処理が不要となり、高速に効率的に複数画像を処理し記録することができるデジタルカメラを提供可能となる。
【図面の簡単な説明】
【図１】本発明の実施の形態によるデジタルスチルカメラの構成を示すブロック図である。
【図２】本発明の実施の形態によるデジタルカメラにおけるファイル構成を示す構成図である。
【図３】本発明の実施の形態によるデジタルカメラのメモリのデータ領域と画像データの流れを示す説明図である。
【図４】本発明の第１の実施の形態によるデジタルカメラにおいて、複数サイズの画像の圧縮と記録の並行処理を示す説明図である。
【図５】本発明の第１の実施の形態による画像データの圧縮と記録を説明する説明図である。
【図６】本発明の第２の実施の形態によるデジタルカメラにおける画像のデータ固定長化処理フローを説明するフロー図である。
【符号の説明】
１       デジタルスチルカメラ
２       撮像手段
４       制御手段
５       表示装置
２０      画像入力部
２１      レンズ２１
２２      ＣＣＤ
２３      ＣＤＳ
２４      Ａ／Ｄ変換器
２５      モータドライバ２５
２６      タイミングＳＧ
２７      ストロボ
３０      信号処理部
３１      デジタル信号処理回路
３２      フレームメモリ
３３      画像圧縮伸長回路
３４      データ記憶メモリ
３５      記憶媒体（メモリカード）
３６      バス
４１      マイコン４１
４２      ＥＥＰＲＯＭ
４３      カメラ操作部
１００    ファイル
１０１    ファイルヘッダ領域
１０２    サムネイル画像領域
１０３    撮影画像領域
２００    フレームメモリ
２０１    大きなサイズの画像データ
２０２    小さなサイズの画像データ
２０３    サムネイル画像データ
３００    データ記憶メモリ
３０１    大きなサイズの圧縮画像データ
３０２    小さなサイズの圧縮画像データ
３０３    サムネイルの圧縮画像データ
４００    記憶媒体
４０１    小さな画像ファイル
４０２    小さな画像のファイルヘッダ領域
４０３    サムネイル画像領域
４０４    小さなサイズの撮影画像領域
４０５    大きな画像ファイル
４０６    大きな画像のファイルヘッダ領域
４０７    サムネイル画像領域
４０８    大きな画像ファイル
４４１    大きな画像の圧縮処理
４４２    大きな画像の記録媒体への書き込み処理
４４３    小さな画像の圧縮処理
４４４    サムネイル画像の圧縮処理
４４５    小さな画像の記録媒体への書き込み
５０２    大きな画像データの圧縮
５０３    サムネイル画像データ圧縮
５０４    大きな画像データおよびサムネイル画像データのデータ記憶メモリへの記録
５０６    小さなサイズの圧縮処理
６００    固定長化処理フロー
６０１    圧縮率デフォルト値に設定
６０２    デフォルト値で圧縮
６０３    目標サイズであるか判定
６０４    次の圧縮率の設定
６０５    最大サイズ画像の圧縮率決定記憶、小さな画像の圧縮率決定記憶
６０６    次の圧縮処理
Ａ       大きなサイズの画像処理の経時的進行
Ｂ       小さなサイズの画像処理の経時的進行
Ｙ       イエス
Ｎ       ノー
【図１】
0003878847.tif 000002
【図２】
0003878847.tif 000003
【図３】
0003878847.tif 000004
【図４】
0003878847.tif 000005
【図５】
0003878847.tif 000006
【図６】
0003878847.tif 000007